【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
読取装置と通信可能な情報処理システムであって、
携帯端末への送信先を示す送信先情報を記憶する記憶手段と、
前記記憶手段に記憶された前記送信先情報に示される送信先に識別情報を送信する送信手段と、
前記読取装置から送信される識別情報を受信する受信手段と、
前記送信手段により送信した識別情報を用いて、前記受信手段で受信した前記識別情報の検証を行う検証手段と、
前記検証手段により、前記受信手段で受信した前記識別情報が検証された場合には、前記記憶手段に記憶された前記送信先情報に示される送信先に、当該検証されたことに応じた処理を実行するための情報を送信するように制御する制御手段と、
を備えることを特徴とする情報処理システム。
【請求項２】
前記制御手段は、前記検証手段により、前記受信手段で受信した前記識別情報が検証されなかった場合には、前記記憶手段に記憶された前記送信先情報に示される送信先に、前記検証されたことに応じた処理を実行するための情報を送信しないように制御することを特徴とする請求項１に記載の情報処理システム。
【請求項３】
前記制御手段は、前記検証手段により、前記受信手段で受信した前記識別情報が検証されなかった場合には、前記記憶手段に記憶された前記送信先情報に示される送信先に、前記検証されたことに応じた処理を実行するための情報を送信せずに、前記検証手段による検証結果を前記読取装置に送信するように制御することを特徴とする請求項１又は２に記載の情報処理システム。
【請求項４】
前記識別情報は、１次元コード又は２次元コードを含むバーコードでの識別情報であり、
前記読取装置は、バーコードを読み取り可能な装置であることを特徴とする請求項１乃至３の何れか１項に記載の情報処理システム。
【請求項５】
前記検証手段による検証が可能な時間が予め設定された識別情報を生成する生成手段を更に備え、
前記送信手段は、前記生成手段により生成された識別情報を、前記記憶手段に記憶された前記送信先情報に示される送信先に送信し、
前記検証手段は、前記送信手段により送信した識別情報、及び、前記検証が可能な時間を用いて、前記受信手段で受信した前記識別情報の検証を行うことを特徴とする請求項１乃至４の何れか１項に記載の情報処理システム。
【請求項６】
前記生成手段は、ユーザの操作による要求に応じて、前記検証手段による検証が可能な時間が予め設定された識別情報を生成することを特徴とする請求項５に記載の情報処理システム。
【請求項７】
前記検証手段により、前記受信手段で受信した前記識別情報が検証された場合には、前記記憶手段に記憶された前記送信先情報に示される送信先に、当該検証されたことに応じた処理を実行するための情報を送信し、前記検証手段により検証を行った当該識別情報を次の検証に用いることが出来ないように制御することを特徴とする請求項１乃至６の何れか１項に記載の情報処理システム。
【請求項８】
前記検証手段により、前記受信手段で受信した前記識別情報が検証された場合には、前記記憶手段に記憶された前記送信先情報に示される送信先に、当該検証されたことに応じた処理を実行するための情報を送信し、その後、当該処理が完了したことを通知して、前記検証手段により検証を行った当該識別情報を次の検証に用いることが出来ないように制御することを特徴とする請求項７に記載の情報処理システム。
【請求項９】
前記受信手段は、前記送信手段により送信され、当該送信された送信先の携帯端末に表示された識別情報を前記読取装置が読み取ることにより前記読取装置から送信される識別情報を受信することを特徴とする請求項１乃至８の何れか１項に記載の情報処理システム。
【請求項１０】
読取装置と通信可能であり、携帯端末への送信先を示す送信先情報を記憶する記憶手段を備える情報処理システムの制御方法であって、
前記記憶手段に記憶された前記送信先情報に示される送信先に識別情報を送信する送信工程と、
前記読取装置から送信される識別情報を受信する受信工程と、
前記送信工程により送信した識別情報を用いて、前記受信工程で受信した前記識別情報の検証を行う検証工程と、
前記検証工程により、前記受信工程で受信した前記識別情報が検証された場合には、前記記憶手段に記憶された前記送信先情報に示される送信先に、当該検証されたことに応じた処理を実行するための情報を送信するように制御する制御工程と、
を備えることを特徴とする制御方法。
【請求項１１】
請求項１乃至９の何れか１項に記載の情報処理システムをとして機能させるためのプログラム。
【手続補正２】
【補正対象書類名】明細書
【補正対象項目名】発明の名称
【補正方法】変更
【補正の内容】
【発明の名称】情報処理システム、及びその制御方法、プログラム
【手続補正３】
【補正対象書類名】明細書
【補正対象項目名】０００１
【補正方法】変更
【補正の内容】
【０００１】
本発明は、情報処理システム、及びその制御方法、プログラムに関し、特に、識別情報が不正利用されるリスクを低減可能な仕組みに関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明の目的は、識別情報が不正利用されるリスクを低減可能な仕組みを提供することである。
【手続補正８】
【補正対象書類名】明細書
【補正対象項目名】００１０
【補正方法】変更
【補正の内容】
【００１０】
本発明は、読取装置と通信可能な情報処理システムであって、携帯端末への送信先を示す送信先情報を記憶する記憶手段と、前記記憶手段に記憶された前記送信先情報に示される送信先に識別情報を送信する送信手段と、前記読取装置から送信される識別情報を受信する受信手段と、前記送信手段により送信した識別情報を用いて、前記受信手段で受信した前記識別情報の検証を行う検証手段と、前記検証手段により、前記受信手段で受信した前記識別情報が検証された場合には、前記記憶手段に記憶された前記送信先情報に示される送信先に、当該検証されたことに応じた処理を実行するための情報を送信するように制御する制御手段と、を備えることを特徴とする。
【手続補正９】
【補正対象書類名】明細書
【補正対象項目名】００１１
【補正方法】変更
【補正の内容】
【００１１】
また、本発明は、読取装置と通信可能であり、携帯端末への送信先を示す送信先情報を記憶する記憶手段を備える情報処理システムの制御方法であって、前記記憶手段に記憶された前記送信先情報に示される送信先に識別情報を送信する送信工程と、前記読取装置から送信される識別情報を受信する受信工程と、前記送信工程により送信した識別情報を用いて、前記受信工程で受信した前記識別情報の検証を行う検証工程と、前記検証工程により、前記受信工程で受信した前記識別情報が検証された場合には、前記記憶手段に記憶された前記送信先情報に示される送信先に、当該検証されたことに応じた処理を実行するための情報を送信するように制御する制御工程と、を備えることを特徴とする。
【手続補正１０】
【補正対象書類名】明細書
【補正対象項目名】００１２
【補正方法】変更
【補正の内容】
【００１２】
また、本発明は、上述の情報処理システムをとして機能させるためのプログラムを特徴とする。
【手続補正１１】
【補正対象書類名】明細書
【補正対象項目名】００１３
【補正方法】変更
【補正の内容】
【００１３】
本発明によれば、識別情報が不正利用されるリスクを低減可能な仕組みを提供することができる。